(57)【要約】      （修正有）【課題】簡易かつコンパクトで消臭効率が高く、後付の場合でも容易かつ安価に付設することができる湿式の消臭装置及び、この消臭装置を付設した環境適用性の高い竪型コンポスト製造装置を提供する。【解決手段】消臭装置１０は、収容室外の通気容易な高所に取り付けられ、外気が導入される案内筒１３と、案内筒１３内に開口する排出筒１５と、案内筒１３の下流側端部に収容され、下流方向に水又は薬液を噴霧するノズル２５を配設したノズルリング２０と、そのノズルリングの上流側に設けられ下流方向に向けて送気するファン３０と、ノズル２５に薬液を圧送する薬液供給手段と、を有している。堅型コンポスト製造装置は、前記消臭装置と堅型容器と堆肥投入手段とを有する。【選択図】図１
0003151551.tif 000002
【実用新案登録請求の範囲】
【請求項１】
臭気発生源を有する収容室内の臭気を消臭して外部に散気させる消臭装置であって、
前記収容室外の通気容易な高所に取り付けられ、外気が導入される案内筒と、
前記案内筒内に開口し、前記収容室からの臭気を導く排出筒と、
前記案内筒の下流側端部に収容され、下流方向に水又は薬液を噴霧するノズルを配設したノズルリングと、そのノズルリングの上流側に設けられ下流方向に向けて送気するファンと、
前記ノズルに薬液を圧送する薬液供給手段と、を有する消臭装置。
【請求項２】
前記ノズルリング及びファンは傾動可能に取り付けられていることを特徴とする請求項１に記載の消臭装置。
【請求項３】
前記排出筒は、臭気の導出方向と前記案内筒内の外気の流通方向とのなす角度が一定範囲内にあるような開口部を有することを特徴とする請求項１又は２に記載の消臭装置。
【請求項４】
前記角度は、30〜70°であることを特徴とする請求項３に記載の消臭装置。
【請求項５】
請求項１〜４のいずれかに記載の消臭装置と、前記収容室が設けられた竪型容器と、前記収容室に堆肥を投入する堆肥投入手段と、を有する竪型コンポスト製造装置。
【考案の詳細な説明】
【技術分野】
【０００１】
本考案は、畜産事業場、肥料製造工場、ゴミ処理場、し尿処理場等において発生する悪臭を水又は薬液の噴霧を利用して消臭する消臭装置及びこれを用いた竪型コンポスト製造装置に関する。
【背景技術】
【０００２】
最近の環境衛生重視の思想に基づき、畜産事業場、肥料製造工場、ゴミ処理場、し尿処理場等の建設においては、当初より悪臭処理施設が並設されることが多い。また、悪臭の発生が余り問題のない人里離れた場所に建設された畜産事業場等が、時代の推移により畜産事業場等の周囲に次第に人家が増加し、悪臭処理施設の導入が求められている例もある。
【０００３】
そのような畜産事業場等に設けられる悪臭処理施設の一つとして、特許文献１に、吸気管を介して吸引した臭気含有空気を作用槽内で消臭液を使って消臭し排気管を介して排気する消臭装置であって、該作用槽は、消臭液を溜める液槽部と、臭気含有空気に対して消臭液を噴霧する拡散噴霧器と、内部空間を区画するよう配置された多数の貫通孔を有する邪魔板と、を備え、且つ作用槽の断面積が吸気管の断面積より広いことを特徴とする消臭装置が提案されている。
【０００４】
また、特許文献２に、家畜飼料添加材に含まれる微生物を培養した培養液を脱臭剤として利用する発明が記載され、その明細書に、排気ブロワーの排気口に沿って形成された排気路内周囲から上記脱臭剤を噴霧するスプレーノズルが列配された脱臭装置が開示されている。
【先行技術文献】
【特許文献】
【０００５】
【特許文献１】特開2004-298367号公報
【特許文献２】特開2004-160071号公報
【考案の概要】
【考案が解決しようとする課題】
【０００６】
特許文献１又は２に開示されているような湿式の消臭装置は処理量が多く、消臭効率が高いので注目される悪臭処理施設の一つであるが、特許文献１又は２に開示されているように、臭気と噴霧された水又は薬液との気液混合を行うための大きな作用槽を要する。このため、消臭装置が大型のものになり、多くの場合特別の建屋を必要とし、また、相当規模の建屋の改造が必要になるという問題がある。
【０００７】
本考案は、このような従来の問題点に鑑み、簡易かつコンパクトで消臭効率が高く、後付の場合でも容易かつ安価に付設することができる湿式の消臭装置を提供することを目的とする。また、この消臭装置を付設した環境適用性の高い竪型コンポスト製造装置を提供することを目的とする。
【課題を解決するための手段】
【０００８】
本考案に係る消臭装置は、臭気発生源を有する収容室内の臭気を消臭して外部に散気させる消臭装置であって、前記収容室外の通気容易な高所に取り付けられ、外気が導入される案内筒と、前記案内筒内に開口し、前記収容室からの臭気を導く排出筒と、前記案内筒の下流側端部に収容され、下流方向に水又は薬液を噴霧するノズルを配設したノズルリングと、そのノズルリングの上流側に設けられ下流方向に向けて送気するファンと、前記ノズルに薬液を圧送する薬液供給手段と、を有している。
【０００９】
上記考案において、ノズルリング及びファンは傾動可能に取り付けられるようになっているのがよい。
【００１０】
排気筒は、臭気の導出方向と前記案内筒内の外気の流通方向とのなす角度が一定範囲内にあるような開口部を有するものがよく、その角度は、30〜70°であるのがよい。
【００１１】
また、上記消臭装置と、前記収容室が設けられた竪型容器と、前記収容室に堆肥を投入する堆肥投入手段と、により環境適用性の高い竪型コンポスト製造装置を構成することができる。
【考案の効果】
【００１２】
本考案に係る消臭装置は、簡易かつコンパクトで消臭効率が高く、後付の場合でも容易かつ安価に付設することができる。また、本考案に係る消臭装置を用いて環境適用性の高い竪型コンポスト製造装置を構成することができる。
【図面の簡単な説明】
【００１３】
【図１】本考案に係る消臭装置の断面を示す模式図である。
【図２】図１の要部拡大図である。
【図３】図１の消臭装置を用いた竪型コンポスト製造装置を示す模式図である。
【考案を実施するための形態】
【００１４】
以下、考案を実施するための形態について説明する。本考案に係る消臭装置は、臭気発生源を有する収容室内の臭気を消臭して外部に散気させる消臭装置であり、その収容室外であって通気がよく新鮮な空気を容易に導入することができ、また消臭された臭気を容易に散気することができる高所に取り付けられる。本考案に係る消臭装置の構成を図１に示す。
【００１５】
図１に示すように、本考案に係る消臭装置10は、外気が導入され、導入された外気の流路となる案内筒13と、案内筒13内に開口し、収容室（図示せず）からの臭気を導く排出筒15と、案内筒13の下流側端部に収容され、下流方向に水又は薬液を噴霧するノズル25を配設したノズルリング20と、そのノズルリング20の上流側に設けられ下流方向に向けて送気するファン30と、配管27を通してノズル25に薬液を圧送する薬液供給手段（図示せず）と、を有している。
【００１６】
案内筒13は、図１において右方（上流）から左方（下流）方向の通気が良好であればよく、円筒又は角筒状のいずれであってもよい。
【００１７】
排出筒15は、案内筒13内に開口をしており、図１において下方の臭気発生源を有する収容室から発生する臭気を案内筒13内に導くようになっている。また、排出筒15は、臭気の導出方向と案内筒13内の外気の流通方向とのなす角度θが30〜70°になるものがよい。これによって、収容室内の臭気の導出が、ファン30により形成される送気流と案内筒13内を流通する外気流とにより促進されるようになる。
【００１８】
ノズルリング20は、図１及び図２に示すように、案内筒13の下流側端部に収容されており、所定箇所に一以上のノズル25が配設された連結管21と、ノズルリング20を取付枠17に固定するリングサポート23を有している。ノズルリング20に設けられたノズル25への薬液の供給は、配管27を通して行われる。
【００１９】
ノズル25は、図２に示すように、連結管21の５等分位置に５箇所設けることができるが、その取付け位置及び取付け本数は、消臭装置10の処理能力、処理効率等により適宜決定される。
【００２０】
ファン30は、図１に示すように、駆動部33と、羽根35とファンサポート37とを有し、ファンサポート37により取付枠17に固定されている。また、ファン30は、ノズルリング20の上流側に設けられ、案内筒13の下流方向に送気することができるようになっている。
【００２１】
上述のように、ノズルリング20とファン30は取付枠17を介して一体に固定されているのがよく、また、取付枠17は傾動可能になっており、ノズルリング20とファン30が所定の仰角を有するように調整できるようになっているのがよい。これにより、結露を防止することができ、また、消臭された霧滴の効率的な散気を行うことができる。
【００２２】
また、効率的な消臭を行うには臭気と水又は薬液の効率的な気液混合を行うのが好ましい。このためには、図２に示すように、ファン30は、その羽根35の外径（df）が案内筒13の内径（dc）の60%〜90%（=100*df/dc）になっているのがよい。特に、羽根35の外径（df）は、案内筒13の内径（dc）の80%前後であるのが好ましい。
【００２３】
ノズル25は、ファン30の中心軸から羽根35の外径（df）の60%〜80%の位置（=100*dn/df）に設けられているのがよい。また、ファン30とノズル25との取付位置間隔は、100〜500mmになっており、両者が近い位置にあるのがよい。
【００２４】
薬液供給手段（図示せず）は、所定量、所定圧の水又は薬液をノズル25に圧送することができるものであればよい。例えば、以下に説明する薬液供給手段を使用することができる。
【００２５】
以上、本考案に係る消臭装置について説明した。本消臭装置は、コンパクトで畜産事業場、肥料製造工場、ゴミ処理場、し尿処理場等で発生する臭気の効率的な消臭を行うことができ、また、容易に付設することができる。そして、この消臭装置を用いれば、環境適用性の高い竪型コンポスト製造装置を構成することができる。例えば、図３に示すように、本考案に係る消臭装置10と、堆肥を投入する収容室45が設けられた竪型容器40と、竪型容器40内の収容室45に堆肥を投入するための堆肥投入手段60と、により竪型コンポスト製造装置を構成することができる。なお、図３に示すように、本例の消臭装置10における薬液供給手段50は、その構成部分が地面上に一体に設置してある。しかしながら、薬液供給手段50の各構成部分は、必要に応じて所要の箇所に設けることができる。
【００２６】
竪型コンポスト製造装置は、元来比較的狭い敷地でも設置可能で効率的に堆肥を製造することができる特徴を有しており、これにコンパクトで効率的な消臭を行うことができる本消臭装置10を付設することにより、環境適用性の高い竪型コンポスト製造装置を構成することができる。
【００２７】
本例の竪型コンポスト製造装置において、竪型容器40は、特に限定されないが、例えば円筒状の密閉式のものを使用することができる。竪型容器40内には、上述のように堆肥を投入する収容室45が設けられており、収容室45から発生する臭気は、排出筒15から導出されるようになっている。
【００２８】
薬液供給手段50は、例えば、吸水手段51、消臭剤タンク53、薬液注入器54、噴霧液タンク55、高圧ポンプ57及び制御装置（図示せず）から構成することができる。すなわち、吸水手段51及び消臭剤タンク53から供給される水及び消臭剤の混合液は、薬液注入器54から噴霧液タンク55に一旦貯留される。そして、その貯留された混合液（薬液）は、高圧ポンプ57により配管27を通じてノズルリング20のノズル25に供給することができるようになっている。なお、薬液注入器54は、水のみを噴霧液タンク55に供給することができ、この場合はノズル25から水のみが噴霧される。
【００２９】
堆肥投入手段60は、例えば、堆肥投入口65から投入された堆肥を竪型容器40の頂部に移送する昇降手段61により構成することができる。竪型容器40の頂部に移送された堆肥は、竪型容器40の頂部から収容室45に投入可能になっている。
【実施例１】
【００３０】
図３に示す密閉式の竪型コンポスト製造装置を使用して、排出筒15の出口濃度（原臭濃度）と消臭装置10（案内筒13）の出口から30cmにおける臭気濃度（出口濃度）を測定した。測定時の排出筒15における排風量は、15m3/minであった。測定結果を表１に示す。表１に示すように、本竪型コンポスト製造装置により、原臭濃度が、アンモニアの場合は1/20に消臭され、アミン類の場合は7/40に消臭されていることが分かる。
【００３１】
【表１】
0003151551.tif 000003
【符号の説明】
【００３２】
10    消臭装置
13    案内筒
15    排出筒
17    取付枠
20    ノズルリング
21    連結管
23    リングサポート
25    ノズル
27    配管
30    ファン
33    駆動部
35    羽根
37    ファンサポート
40    竪型容器
45    収容室
50    薬液供給手段
51    給水手段
53    消臭剤タンク
54    薬液注入器
55    噴霧液タンク
57    高圧ポンプ
60    堆肥投入手段
61    昇降手段
65    堆肥投入口
【図１】
0003151551.tif 000004
【図２】
0003151551.tif 000005
【図３】
0003151551.tif 000006